(57)【要約】【課題】可食性及び水溶性のうち少なくともいずれかの性質を有する材料を用いた電気回路を提供することを目的とする。また、そのような電気回路を製造する際の原料となる導電ペーストを提供することを目的とする。また、そのような電気回路を製造するための電気回路の製造方法を提供することを目的とする。【解決手段】本発明に係る電気回路１は、可食性及び水溶性のうち少なくともいずれかの性質を有する第１材料に導電材料が添加されている配線パターン１０からなることを特徴とする。本発明の電気回路１によれば、電気回路を構成する配線パターン１０の材料に可食性及び水溶性のうち少なくともいずれかの性質を有する材料を用いていることから、生体に優しく、環境負荷の低い電気回路を提供することができる。【選択図】図１
2020072237.tif 000002
【特許請求の範囲】
【請求項１】
可食性及び水溶性のうち少なくともいずれかの性質を有する第１材料に導電材料が添加されている配線パターンからなることを特徴とする電気回路。
【請求項２】
前記第１材料が、炭水化物及び／又はたんぱく質からなることを特徴とする請求項１に記載の電気回路。
【請求項３】
可食性及び水溶性のうち少なくともいずれかの性質を有する第１材料に導電材料が添加されている配線パターンと、
前記配線パターンを搭載する基板であって、可食性及び水溶性のうち少なくともいずれかの性質を有する第２材料からなる基板とを備えることを特徴とする電気回路。
【請求項４】
前記第１材料及び前記第２材料がいずれも、炭水化物及び／又はたんぱく質からなることを特徴とする請求項３に記載の電気回路。
【請求項５】
前記配線パターンを覆うように前記基板上に形成された可食性及び水溶性のうち少なくともいずれかの性質を有する第３材料からなる絶縁層と、
可食性及び水溶性のうち少なくともいずれかの性質を有する第４材料に第２の導電材料が添加されている第２配線パターンであって、前記絶縁層上に形成されている第２配線パターンとをさらに備えることを特徴とする請求項３又は４に記載の電気回路。
【請求項６】
前記第３材料及び前記第４材料がいずれも、炭水化物及び／又はたんぱく質からなることを特徴とする請求項５に記載の電気回路。
【請求項７】
前記電気回路が抵抗成分を含む回路であることを特徴とする請求項１〜６のいずれかに記載の電気回路。
【請求項８】
前記電気回路がＬＣ共振回路であることを特徴とする請求項１〜６のいずれかに記載の電気回路。
【請求項９】
水分検出センサであることを特徴とする請求項１〜８のいずれかに記載の電気回路。
【請求項１０】
尿検出センサであることを特徴とする請求項１〜８のいずれかに記載の電気回路。
【請求項１１】
害獣検知センサであることを特徴とする請求項１〜８のいずれかに記載の電気回路。
【請求項１２】
錠剤飲み忘れ検出センサであることを特徴とする請求項１〜８のいずれかに記載の電気回路。
【請求項１３】
可食性及び水溶性のうち少なくともいずれかの性質を有する第１材料に導電材料が添加されていることを特徴とする導電ペースト。
【請求項１４】
前記第１材料が、炭水化物及び／又はたんぱく質からなることを特徴とする請求項１３に記載の導電ペースト。
【請求項１５】
請求項１に記載の電気回路を製造するための電気回路の製造方法であって、
前記第１材料に前記導電材料が添加されている導電ペーストを準備する導電ペースト準備工程と、
前記導電ペーストを用いて前記配線パターンに対応する導電ペーストパターンを作製する導電ペーストパターン作製工程と、
前記導電ペーストパターンを加熱又は乾燥して前記配線パターンを作製する配線パターン作製工程とを含むことを特徴とする電気回路の製造方法。
【請求項１６】
請求項１に記載の電気回路を製造するための電気回路の製造方法であって、
前記第１材料に前記導電材料が添加されている導電ペーストを準備する導電ペースト準備工程と、
前記導電ペーストを用いて導電ペーストシートを作製する導電ペーストシート作製工程と、
前記導電ペーストシートを加熱又は乾燥して前記配線パターンを形成するための導電シートを作製する導電シート作製工程と、
前記導電シートを前記配線パターンに対応する形状に成形して前記配線パターンを作製する配線パターン作製工程とを含むことを特徴とする電気回路の製造方法。
【請求項１７】
請求項３に記載の電気回路を製造するための電気回路の製造方法であって、
前記第１材料に前記導電材料が添加されている導電ペーストと、前記第２材料からなる前記基板とを準備する導電ペースト・基板準備工程と、
前記導電ペーストを用いて前記基板上に前記配線パターンに対応する導電ペーストパターンを作製する導電ペーストパターン作製工程と、
前記導電ペーストパターンを加熱又は乾燥して前記配線パターンを作製する配線パターン作製工程とを含むことを特徴とする電気回路の製造方法。
【請求項１８】
請求項３に記載の電気回路を製造するための電気回路の製造方法であって、
前記第１材料に前記導電材料が添加されている導電ペーストと、前記第２材料からなる前記基板とを準備する導電ペースト・基板準備工程と、
前記導電ペーストを用いて導電ペーストシートを作製する導電ペーストシート作製工程と、
前記導電ペーストシートを加熱又は乾燥して前記配線パターンを形成するための導電シートを作製する導電シート作製工程と、
前記導電シートを前記配線パターンに対応する形状に成形して前記配線パターンを作製する配線パターン作製工程と、
前記基板に前記配線パターンを貼り付ける配線パターン貼り付け工程とを含むことを特徴とする電気回路の製造方法。
【請求項１９】
請求項５に記載の電気回路を製造するための電気回路の製造方法であって、
前記第１材料に前記導電材料が添加されている導電ペーストと、前記第２材料からなる前記基板と、前記第３材料からなる絶縁ペーストと、前記第４材料に前記第２の導電材料が添加されている第２導電ペーストとを準備する導電ペースト・基板・絶縁ペースト準備工程と、
前記導電ペーストを用いて前記基板上に前記配線パターンに対応する導電ペーストパターンを作製する導電ペーストパターン作製工程と、
前記導電ペーストパターンを加熱又は乾燥して前記配線パターンを作製する配線パターン作製工程と、
前記絶縁ペーストを用いて前記配線パターンを覆うように前記基板上に絶縁ペースト層を作製する絶縁ペースト層作製工程と、
前記絶縁ペースト層を加熱又は乾燥して前記絶縁層を作製する絶縁層作製工程と、
前記第２導電ペーストを用いて前記絶縁層上に前記第２配線パターンに対応する第２導電ペーストパターンを作製する第２導電ペーストパターン作製工程と、
前記第２導電ペーストパターンを加熱又は乾燥して前記第２配線パターンを作製する第２配線パターン作製工程とを含むことを特徴とする電気回路の製造方法。
【請求項２０】
請求項５に記載の電気回路を製造するための電気回路の製造方法であって、
前記第１材料に前記導電材料が添加されている導電ペーストと、前記第２材料からなる前記基板と、前記第３材料からなる前記絶縁層としての絶縁シートと、前記第４材料に前記第２の導電材料が添加されている第２導電ペーストとを準備する導電ペースト・基板・絶縁シート準備工程と、
前記導電ペーストを用いて導電ペーストシートを作製する導電ペーストシート作製工程と、
前記導電ペーストシートを加熱又は乾燥して前記配線パターンを形成するための導電シートを作製する導電シート作製工程と、
前記導電シートを前記配線パターンに対応する形状に成形して前記配線パターンを作製する配線パターン作製工程と、
前記第２導電ペーストを用いて第２導電ペーストシートを作製する第２導電ペーストシート作製工程と、
前記第２導電ペーストシートを加熱又は乾燥して前記第２配線パターンを形成するための第２導電シートを作製する第２導電シート作製工程と、
前記第２導電シートを前記第２配線パターンに対応する形状に成形して前記第２配線パターンを作製する第２配線パターン作製工程と、
前記基板と、前記配線パターンと、前記絶縁シートと、前記第２配線パターンとを貼り合わせる貼り合わせ工程とを含むことを特徴とする電気回路の製造方法。
【請求項２１】
請求項１２に記載の電気回路を製造するための電気回路の製造方法であって、
前記第１材料に前記導電材料が添加されている導電ペーストと、薬剤を含有する前記錠剤とを準備する導電ペースト・錠剤準備工程と、
前記導電ペーストを用いて前記錠剤の表面に前記配線パターンに対応する導電ペーストパターンを作製する導電ペーストパターン作製工程と、
前記導電ペーストパターンを加熱又は乾燥して前記配線パターンを作製する配線パターン作製工程とを含むことを特徴とする電気回路の製造方法。
【発明の詳細な説明】
【技術分野】
【０００１】
本発明は、電気回路、導電ペースト及び電気回路の製造方法に関する。
【背景技術】
【０００２】
従来、天然の素材から製造された可食性フィルムが知られている（例えば、特許文献１及び非特許文献１参照。）。例えば、このような可食性フィルムは、食品の包装材料やセパレータとして用いることができる。このような可食性フィルムをパイやタルトなどの洋菓子を製造する際に用いると、洋菓子の焼成時に可食性フィルムがフィリングの水分を吸収するので、洋菓子のサクサク感が増し商品価値を高くすることができる。また、上記可食性フィルムをラーメンなどのチルドカップ麺のプラスチックフィルムの代わりに用いると、喫食事にプラスチックフィルムを取り除く手間を省くことができるから、商品の利便性を高くすることができる。また、廃棄物を削減できることから環境負荷を低くすることができる。
また、可食性フィルムは、微生物分解性を有することから、たとえ自然界に廃棄されたとしても微生物により完全に消費されるため、この観点からも環境負荷を低くすることができる。
【０００３】
また、従来、水溶性フィルムが知られている。このような水溶性フィルムは、たとえ自然界に廃棄されたとしても水に溶けて固形物が残らないため、やはり環境負荷を低くすることができる。
【先行技術文献】
【特許文献】
【０００４】
【特許文献１】特開２０１８−２３３１１号公報
【特許文献２】特開２００７−５３５１号公報
【特許文献３】特開２００７−２３５０３５号公報
【特許文献４】特開２００７−２３７７１６号公報
【特許文献５】特開２０１３−２１０２３４号公報
【非特許文献】
【０００５】
【非特許文献１】“惣菜ホットニュース  Ｎｏ．２１８  伊那食品工業（株）（長野県）  寒天を愚直に研究して６０年「“寒天”でお惣菜の悩み解決」本格始動”、２０１７年６月１日発行、一般社団法人日本惣菜協会
【発明の概要】
【発明が解決しようとする課題】
【０００６】
しかしながら、上記した可食性フィルムや水溶性フィルムを構成する材料、つまり、可食性及び水溶性のうち少なくともいずれかの性質を有する材料を電気回路（例えば、インダクタ、キャパシタ、アンテナなど。特許文献２〜５参照。）の材料に用いることは知られていない。
【０００７】
そこで、本発明は、上記した事情に鑑みてなされたものであり、可食性及び水溶性のうち少なくともいずれかの性質を有する材料を用いた、生体に優しく、環境負荷の低い電気回路を提供することを目的とする。また、そのような電気回路を製造する際の原料となる導電ペーストを提供することを目的とする。また、そのような電気回路を製造するための電気回路の製造方法を提供することを目的とする。
【課題を解決するための手段】
【０００８】
［１］本発明に係る電気回路は、可食性及び水溶性のうち少なくともいずれかの性質を有する第１材料に導電材料が添加されている配線パターンからなることを特徴とする。
【０００９】
本発明の電気回路によれば、電気回路を構成する配線パターンの材料に可食性及び水溶性のうち少なくともいずれかの性質を有する材料を用いていることから、生体に優しく、環境負荷の低い電気回路を提供することができる。
【００１０】
［２］本発明の電気回路においては、前記第１材料が、炭水化物及び／又はたんぱく質からなることが好ましい。
【００１１】
このような構成とすることにより、第１材料が、炭水化物及び／又はたんぱく質からなることから、生体に優しく、環境負荷の低い電気回路を構成することが可能となる。
【００１２】
［３］本発明の電気回路は、可食性及び水溶性のうち少なくともいずれかの性質を有する第１材料に導電材料が添加されている配線パターンと、前記配線パターンを搭載する基板であって、可食性及び水溶性のうち少なくともいずれかの性質を有する第２材料からなる基板とを備えることが好ましい。
【００１３】
本発明の電気回路によれば、電気回路を構成する配線パターンの材料及び基板の材料の両方に可食性及び水溶性のうち少なくともいずれかの性質を有する材料を用いていることから、生体に優しく、環境負荷の低い電気回路を提供することができる。
【００１４】
［４］本発明の電気回路においては、前記第１材料及び前記第２材料がいずれも、炭水化物及び／又はたんぱく質からなることが好ましい。
【００１５】
このような構成とすることにより、第１材料及び第２材料がいずれも、炭水化物及び／又はたんぱく質からなることから、生体に優しく、環境負荷の低い電気回路を構成することが可能となる。
【００１６】
［５］本発明の電気回路においては、前記配線パターンを覆うように前記基板上に形成された可食性及び水溶性のうち少なくともいずれかの性質を有する第３材料からなる絶縁層と、可食性及び水溶性のうち少なくともいずれかの性質を有する第４材料に第２の導電材料が添加されている第２配線パターンであって、前記絶縁層上に形成されている第２配線パターンとをさらに備えることが好ましい。
【００１７】
このような構成とすることにより、配線パターンを覆うように基板上に形成された絶縁層と、当該絶縁層上に形成されている第２配線パターンとをさらに備えることから、電気回路を立体的に構成することが可能となる。
【００１８】
また、上記のような構成とすることにより、絶縁層の材料及び第２配線パターンの材料の両方に可食性及び水溶性のうち少なくともいずれかの性質を有する材料を用いていることから、生体に優しく、環境負荷の低い電気回路を提供することができる。
【００１９】
［６］本発明の電気回路においては、前記第３材料及び前記第４材料がいずれも、炭水化物及び／又はたんぱく質からなることが好ましい。
【００２０】
このような構成とすることにより、第３材料及び第４材料がいずれも、炭水化物及び／又はたんぱく質からなることから、生体に優しく、環境負荷の低い電気回路を構成することが可能となる。
【００２１】
［７］本発明の電気回路においては、前記電気回路が抵抗成分を含む回路であってもよい（後述する実施形態１参照。）。
【００２２】
このような構成とすることにより、抵抗となる部材を別途用意しなくても抵抗を測定可能な回路を構成することが可能となる。
【００２３】
［８］本発明の電気回路においては、前記電気回路がＬＣ共振回路であってもよい（後述する実施形態３，４参照。）。
【００２４】
本発明の電気回路によれば、共振を利用して電気回路の状態を遠隔から（非接触で）検出することが可能となる。
【００２５】
［９］本発明の電気回路は、水分検出センサであってもよい（後述する実施形態５参照。）。
【００２６】
本発明の電気回路によれば、水分による電気回路の変質や崩壊を利用した簡易かつ利便性の高い水分検出センサを構成することが可能となる。
【００２７】
［１０］本発明の電気回路は、尿検出センサであってもよい（後述する実施形態６参照。）。
【００２８】
本発明の電気回路によれば、尿による電気回路の変質や崩壊を利用した簡易かつ利便性の高い尿検出センサを構成することが可能となる。
【００２９】
［１１］本発明の電気回路は、害獣検知センサであってもよい。（後述する実施形態７参照。）。
【００３０】
本発明の電気回路によれば、害獣に食物ごとセンサを食べさせることによる電気回路の崩壊を利用した、簡易かつ利便性の高い害獣検知センサを構成することが可能となる。
【００３１】
［１２］本発明の電気回路は、錠剤飲み忘れ検出センサであってもよい。（後述する実施形態８参照。）。
【００３２】
本発明の電気回路によれば、錠剤の服用による電気回路の変質や崩壊を利用した簡易かつ利便性の高い錠剤飲み忘れ検出センサを構成することが可能となる。
【００３３】
［１３］本発明の導電ペーストは、可食性及び水溶性のうち少なくともいずれかの性質を有する第１材料に導電材料が添加されていることを特徴とする。
【００３４】
本発明の導電ペーストによれば、生体に優しく、環境負荷の低い電気回路を製造する際の原料となる導電ペーストを提供することができる。
【００３５】
［１４］本発明の導電ペーストにおいては、前記第１材料が、炭水化物及び／又はたんぱく質からなることが好ましい。
【００３６】
このような構成とすることにより、可食性及び水溶性のうち少なくともいずれかの性質を有する第１材料が、炭水化物及び／又はたんぱく質からなることから、生体に優しく、環境負荷の低い電気回路を構成することが可能な導電性ペーストとすることが可能となる。
【００３７】
［１５］本発明の電気回路の製造方法は、上記の本発明［１］の電気回路を製造するための電気回路の製造方法であって、前記第１材料に前記導電材料が添加されている導電ペーストを準備する工程と、前記導電ペーストを用いて前記配線パターンに対応する導電ペーストパターンを作製する工程と、前記導電ペーストパターンを加熱又は乾燥して前記配線パターンを作製する工程とを含むことを特徴とする。
【００３８】
本発明の電気回路の製造方法によれば、電気回路の形成に、可食性及び水溶性のうち少なくともいずれかの性質を有する第１材料に前記導電材料が添加されている導電ペーストを用いるため、生体に優しく、環境負荷の低い電気回路を製造するための電気回路の製造方法を提供することができる。
【００３９】
［１６］本発明の電気回路の製造方法は、上記の本発明［１］の電気回路を製造するための電気回路の製造方法であって、前記第１材料に前記導電材料が添加されている導電ペーストを準備する工程と、前記導電ペーストを用いて導電ペーストシートを作製する工程と、前記導電ペーストシートを加熱又は乾燥して前記配線パターンを形成するための導電シートを作製する工程と、前記導電シートを前記配線パターンに対応する形状に成形して前記配線パターンを作製する工程とを含むことを特徴とする。
【００４０】
本発明の電気回路の製造方法によっても、電気回路の形成に、可食性及び水溶性のうち少なくともいずれかの性質を有する第１材料に前記導電材料が添加されている導電ペーストを用いるため、生体に優しく、環境負荷の低い電気回路を製造するための電気回路の製造方法を提供することができる。
【００４１】
［１７］本発明の電気回路の製造方法は、上記の本発明［３］の電気回路を製造するための電気回路の製造方法であって、前記第１材料に前記導電材料が添加されている導電ペーストと、前記第２材料からなる前記基板とを準備する工程と、前記導電ペーストを用いて前記基板上に前記配線パターンに対応する導電ペーストパターンを作製する工程と、前記導電ペーストパターンを加熱又は乾燥して前記配線パターンを作製する工程とを含むことを特徴とする。
【００４２】
本発明の電気回路の製造方法によれば、電気回路の形成に、可食性及び水溶性のうち少なくともいずれかの性質を有する第１材料に前記導電材料が添加されている導電ペーストと、可食性及び水溶性のうち少なくともいずれかの性質を有する第２材料からなる基板とを用いるため、生体に優しく、環境負荷の低い電気回路を製造するための電気回路の製造方法を提供することができる。
【００４３】
［１８］本発明の電気回路の製造方法は、上記の本発明［３］の電気回路を製造するための電気回路の製造方法であって、前記第１材料に前記導電材料が添加されている導電ペーストと、前記第２材料からなる前記基板とを準備する工程と、前記導電ペーストを用いて導電ペーストシートを作製する工程と、前記導電ペーストシートを加熱又は乾燥して前記配線パターンを形成するための導電シートを作製する工程と、前記導電シートを前記配線パターンに対応する形状に成形して前記配線パターンを作製する工程と、前記基板に前記配線パターンを貼り付ける工程とを含むことを特徴とする。
【００４４】
本発明の電気回路の製造方法によっても、電気回路の形成に、可食性及び水溶性のうち少なくともいずれかの性質を有する第１材料に前記導電材料が添加されている導電ペーストと、可食性及び水溶性のうち少なくともいずれかの性質を有する第２材料からなる基板とを用いるため、生体に優しく、環境負荷の低い電気回路を製造するための電気回路の製造方法を提供することができる。
【００４５】
［１９］本発明の電気回路の製造方法は、上記の本発明の［５］の電気回路を製造するための電気回路の製造方法であって、前記第１材料に前記導電材料が添加されている導電ペーストと、前記第２材料からなる前記基板と、前記第３材料からなる絶縁ペーストと、前記第４材料に前記第２の導電材料が添加されている第２導電ペーストとを準備する工程と、前記導電ペーストを用いて前記基板上に前記配線パターンに対応する導電ペーストパターンを作製する工程と、前記導電ペーストパターンを加熱又は乾燥して前記配線パターンを作製する工程と、前記絶縁ペーストを用いて前記配線パターンを覆うように前記基板上に絶縁ペースト層を作製する工程と、前記絶縁ペースト層を加熱又は乾燥して前記絶縁層を作製する工程と、前記第２導電ペーストを用いて前記絶縁層上に前記第２配線パターンに対応する第２導電ペーストパターンを作製する工程と、前記第２導電ペーストパターンを加熱又は乾燥して前記第２配線パターンを作製する工程とを含むことを特徴とする。
【００４６】
本発明の電気回路の製造方法によれば、電気回路の形成に、可食性及び水溶性のうち少なくともいずれかの性質を有する第１材料に前記導電材料が添加されている導電ペーストと、可食性及び水溶性のうち少なくともいずれかの性質を有する第２材料からなる基板と、可食性及び水溶性のうち少なくともいずれかの性質を有する第３材料からなる絶縁ペーストと、可食性及び水溶性のうち少なくともいずれかの性質を有する第４材料に第２の導電材料が添加されている第２導電ペーストとを用いるため、生体に優しく、環境負荷の低い電気回路を製造するための電気回路の製造方法を提供することができる。
【００４７】
［２０］本発明の電気回路の製造方法は、上記の本発明［５］の電気回路を製造するための電気回路の製造方法であって、前記第１材料に前記導電材料が添加されている導電ペーストと、前記第２材料からなる前記基板と、前記第３材料からなる前記絶縁層としての絶縁シートと、前記第４材料に前記第２の導電材料が添加されている第２導電ペーストとを準備する工程と、前記導電ペーストを用いて導電ペーストシートを作製する工程と、前記導電ペーストシートを加熱又は乾燥して前記配線パターンを形成するための導電シートを作製する工程と、前記導電シートを前記配線パターンに対応する形状に成形して前記配線パターンを作製する工程と、前記第２導電ペーストを用いて第２導電ペーストシートを作製する工程と、前記第２導電ペーストシートを加熱又は乾燥して前記第２配線パターンを形成するための第２導電シートを作製する工程と、前記第２導電シートを前記第２配線パターンに対応する形状に成形して前記第２配線パターンを作製する工程と、前記基板と、前記配線パターンと、前記絶縁シートと、前記第２配線パターンとを貼り合わせる工程とを含むことを特徴とする。
【００４８】
本発明の電気回路の製造方法によれば、電気回路の形成に、可食性及び水溶性のうち少なくともいずれかの性質を有する第１材料に前記導電材料が添加されている導電ペーストと、可食性及び水溶性のうち少なくともいずれかの性質を有する第２材料からなる基板と、可食性及び水溶性のうち少なくともいずれかの性質を有する第３材料からなる絶縁層としての絶縁シートと、可食性及び水溶性のうち少なくともいずれかの性質を有する第４材料に第２の導電材料が添加されている第２導電ペーストとを用いるため、生体に優しく、環境負荷の低い電気回路を製造するための電気回路の製造方法を提供することができる。
【００４９】
［２１］本発明の電気回路の製造方法は、上記の本発明［１２］に記載の電気回路を製造するための電気回路の製造方法であって、前記第１材料に前記導電材料が添加されている導電ペーストと、薬剤を含有する前記錠剤とを準備する工程と、前記導電ペーストを用いて前記錠剤の表面に前記配線パターンに対応する導電ペーストパターンを作製する工程と、前記導電ペーストパターンを加熱又は乾燥して前記配線パターンを作製する工程とを含むことを特徴とする。
【００５０】
本発明の電気回路の製造方法によれば、電気回路の形成に、可食性及び水溶性のうち少なくともいずれかの性質を有する第１材料に前記導電材料が添加されている導電ペーストを用いるため、生体に優しく、環境負荷の低い電気回路を製造するための電気回路の製造方法を提供することができる。
【図面の簡単な説明】
【００５１】
【図１】実施形態１に係る電気回路１を説明するために示す図である。
【図２】実施形態１に係る電気回路の製造方法のうち第１の製造方法のフローチャートである。
【図３】実施形態１に係る電気回路の製造方法のうち第１の製造方法を説明するために示す図である。
【図４】実施形態１に係る電気回路の製造方法のうち第２の製造方法のフローチャートである。
【図５】実施形態１に係る電気回路の製造方法のうち第２の製造方法を説明するために示す図である。
【図６】実施形態２に係る電気回路２を示す上面図である。
【図７】実施形態２に係る電気回路の製造方法のうち第１の製造方法のフローチャートである。
【図８】実施形態２に係る電気回路の製造方法のうち第１の製造方法を説明するために示す図である。
【図９】実施形態２に係る電気回路の製造方法のうち第２の製造方法のフローチャートである。
【図１０】実施形態２に係る電気回路の製造方法のうち第２の製造方法を説明するために示す図である。
【図１１】実施形態３に係る電気回路３を説明するために示す図である。
【図１２】実施形態４に係る電気回路４を説明するために示す図である。
【図１３】実施形態４に係る電気回路の製造方法のうち第１の製造方法のフローチャートである。
【図１４】実施形態４に係る電気回路の製造方法のうち第１の製造方法を説明するために示す図である。
【図１５】実施形態４に係る電気回路の製造方法のうち第１の製造方法を説明するために示す図である。
【図１６】実施形態４に係る電気回路の製造方法のうち第１の製造方法のフローチャートである。
【図１７】実施形態４に係る電気回路の製造方法のうち第１の製造方法を説明するために示す図である。
【図１８】実施形態４に係る電気回路の製造方法のうち第１の製造方法を説明するために示す図である。
【図１９】実施形態８に係る電気回路８を説明するために示す図である。
【図２０】実施形態８に係る電気回路の製造方法のフローチャートである。
【図２１】実施形態８に係る電気回路の製造方法を説明するために示す図である。
【図２２】変形例に係る電気回路９を説明するために示す図である。
【発明を実施するための形態】
【００５２】
以下、本発明の電気回路、導電ペースト及び電気回路の製造方法について、図に示す実施の形態に基づいて説明する。なお、各図面は模式図であり、必ずしも実際の寸法を厳密に反映したものではない。基本的な構成が同様であるものは、実施形態をまたいで同じ符号を付し、説明を省略することがある。また、基本的な実施内容が同じ又は近しい工程については、実施形態をまたいで同じ名称とすることがある。
【００５３】
［実施形態１］
図１は、実施形態１に係る電気回路１を説明するために示す図である。図１（a）は電気回路１の上面図であり、図１（ｂ）は電気回路１を用いた測定を説明するための模式図である。
本明細書における「電気回路」は、それ単独では閉回路を構成しないものも含む。
【００５４】
実施形態１に係る電気回路１は、略直線状の配線パターン１０からなる（図１（a）参照。）。配線パターン１０は、可食性及び水溶性のうち少なくともいずれかの性質を有する第１材料に導電材料が添加されているものである。実施形態１における第１材料は、炭水化物及び／又はたんぱく質からなる。
【００５５】
電気回路１は、配線パターン１０の両端の端子１２，１４に電極を接続し、任意のテスターＴ１により電極間の導電率や抵抗の変化を測定する用途に主に用いられる（図１（ｂ）参照。）。電気回路１は抵抗成分を含む回路であり、端子１２，１４間の細くなっている部分が抵抗として機能する。
【００５６】
配線パターン１０の導電性は、主に、添加されている導電材料（粒子や繊維）同士の接触により得られる。このため、導電材料同士の接触の状態が変化することにより導電性や抵抗が変化するため、外部からの計測により導電材料の接触状態、つまり、電気回路１や配線パターン１０の状態を検出することができる。基本的には配線パターン１０は変質・破壊されるものであるため、その影響は主に導電率の低下や抵抗値の上昇という形で現出することになる（具体例については、後述する実施形態５〜８参照。）。
【００５７】
導電材料としては、例えば、炭素系材料（炭素粒子、炭素繊維、グラフェン、カーボンナノチューブ等）、金属系材料（金、銀、銅、アルミ等の粒子や繊維）を用いることができる。
【００５８】
炭水化物としては、糖質（単糖類、二糖類、オリゴ糖、多糖類等）及び食物繊維（水溶性食物繊維や不溶性食物繊維）のいずれも用いることができる。
たんぱく質としては、例えば、ゼラチン、カゼイン、植物性たんぱく質（大豆たんぱく質等）を用いることができる。
なお、可食性及び水溶性のうち少なくともいずれかの性質を有する材料においては、味の調整や保存性の向上等を目的として、炭水化物やたんぱく質以外の添加物を補助的に用いてもよい。
【００５９】
第１材料としては、複数種類の材料を混合したものを用いることもできる。これは、後述する各実施形態における「可食性及び水溶性のうち少なくともいずれかの性質を有する材料」についても同様である。
また、導電材料についても、複数種類の材料を混合したものを用いることもできる。これは、後述する第２の導電材料についても同様である。
【００６０】
可食性材料としては、用途に応じて水溶性の物質を用いることもできるし、脂溶性の物質を用いることもできる。例えば、電気回路１を後述する水分検出センサとして用いる場合には、可食性材料として水溶性の物質を用いる。
また、水溶性材料としては、用途に応じて可食性のものを用いることもできるし、可食性ではないものを用いることもできる。なお、「水溶性材料」には、冷水にはほぼ溶解せず、熱湯には容易に溶解する（湯には溶ける）ような、溶解度の温度依存性が大きい材料も含まれる。
つまり、「可食性及び水溶性のうち少なくともいずれかの性質を有する」第１材料には、可食性かつ水溶性である材料、可食性でかつ水溶性ではない材料、及び、可食性ではなくかつ水溶性である材料、の３つが含まれる。第１材料としては、可食性かつ水溶性である材料を用いることが好ましい。これらは、後述する各実施形態における「可食性及び水溶性のうち少なくともいずれかの性質を有する材料」（第２材料、第３材料、第４材料等）についても同様である。
【００６１】
本発明に用いるのに適した「可食性かつ水溶性である材料」としては、多糖類を主成分とするものを挙げることができる。
具体的には、グアーガム、タラガム、ペクチン、アルギン酸ナトリウム、アルギン酸プロピレングリコールエステル、グルコマンナン、アラビアガム、プルラン、キサンタンガム、サクシノグルカン、寒天、カラギナン、ローカストビーンガム、カシアガム、フェヌグリークガム、タマリンドガム、デンプン、加工デンプン、ジェランガム、サイリューム、ＣＭＣ−Ｎａ、ＨＰＣ及びＭＣを挙げることができる。可食性かつ水溶性である材料としては、強度や加工性の観点から、特に、寒天、カラギナン、デンプン、グルコマンナン及びペクチンのうち少なくとも１種類を含有する材料を好適に用いることができる。
また、強度向上や耐環境性向上、可塑性の付与等の物性改良剤として、上記材料に食物繊維や多価アルコール等を混ぜてもよい。
配線パターンを形成するための材料としては、基板を構成する材料とは別に、カルボキシメチルセルロースナトリウムやポリビニルピロリドンのような粘度・接着力の強い材料も好適に用いることができる。
【００６２】
以下、実施形態１に係る電気回路の製造方法について説明する。
まず、実施形態１に係る電気回路の製造方法のうち第１の製造方法について説明する。
図２は、実施形態１に係る電気回路の製造方法のうち第１の製造方法のフローチャートである。
図３は、実施形態１に係る電気回路の製造方法のうち第１の製造方法を説明するために示す図である。図３（ａ）及び図３（ｂ）は各工程図である。
【００６３】
実施形態１に係る電気回路の製造方法のうち第１の製造方法は、実施形態１に係る電気回路１を製造するための電気回路の製造方法であって、導電ペースト準備工程Ｓ１１０と、導電ペーストパターン作製工程Ｓ１２０と、配線パターン作製工程Ｓ１３０とを含む（図２参照。）。
【００６４】
導電ペースト準備工程Ｓ１１０は、第１材料に導電材料が添加されている導電ペーストを準備する工程である（図示せず。）。
導電ペーストは、第１材料に導電材料が添加されているペーストであり、配線パターンを構成する材料の前駆物質である。導電ペーストは、第１材料そのものであってもよいし、第１材料に溶媒（例えば、水やアルコール）を加えたものであってもよい。
【００６５】
実施形態１における第１材料は、導電ペーストにおいても当然に炭水化物及び／又はたんぱく質からなる。
なお、導電ペーストについては後述する各実施形態においても同様のものを用いるため、後述する各実施形態においては、導電ペーストの構成・効果についての再度の記載は省略する。
【００６６】
導電ペーストパターン作製工程Ｓ１２０は、導電ペーストを用いて前記配線パターンに対応する導電ペーストパターン１０ａを作製する工程である（図３（ａ）参照。）。
導電ペーストパターン１０ａは、例えば、導電ペーストパターン１０ａを配線パターン１０としたときに配線パターン１０と剥離可能な仮基板（図示せず。）の上に作製することができる。
導電ペーストパターン１０ａの作製は、例えば、スクリーン印刷方式、インクジェット方式、塗布方式（刷毛塗りや吹き付け等）により行うことができる。
【００６７】
配線パターン作製工程Ｓ１３０は、導電ペーストパターン１０ａを加熱又は乾燥して配線パターン１０を作製する工程である（図３（ｂ）参照。）。
配線パターン１０を作成する際に加熱するか乾燥させるかは、導電ペーストを構成する材料の性質により選択することができる。
なお、本明細書における「加熱する」は、導電ペーストに含まれる溶媒を蒸発させることを目的とする操作と、導電ペースト中の成分を変質（焼結）させることを目的とする操作との両方を含む。
また、本明細書における「乾燥する」は、加熱を行わずに導電ペーストに含まれる溶媒を蒸発させることを目的とする操作のことをいう。
【００６８】
以上の工程により、実施形態１に係る電気回路１を製造することができる。
【００６９】
次に、実施形態１に係る電気回路の製造方法のうち第２の製造方法について説明する。
図４は、実施形態１に係る電気回路の製造方法のうち第２の製造方法のフローチャートである。
図５は、実施形態１に係る電気回路の製造方法のうち第２の製造方法を説明するために示す図である。図５（ａ）〜図５（ｃ）は各工程図である。
【００７０】
実施形態１に係る電気回路の製造方法のうち第２の製造方法は、請求項１に記載の電気回路１を製造するための電気回路の製造方法であって、導電ペースト準備工程Ｓ２１０と、導電ペーストシート作製工程Ｓ２２０と、導電シート作製工程Ｓ２３０と、配線パターン作製工程Ｓ２４０とを含む（図４参照。）。
【００７１】
導電ペースト準備工程Ｓ２１０は、第１材料に導電材料が添加されている導電ペーストを準備する工程である（図示せず。）。
【００７２】
導電ペーストシート作製工程Ｓ２２０は、導電ペーストを用いて導電ペーストシート１０ｂを作製する工程である（図５（ａ）参照。）。
導電ペーストシート１０ｂは、例えば、導電ペーストを導電ペーストシート１０ｂとしたときに導電ペーストシート１０ｂと剥離可能な仮基板（図示せず。）の上に作製することができる。
【００７３】
導電シート作製工程Ｓ２３０は、導電ペーストシート１０ｂを加熱又は乾燥して配線パターンを形成するための導電シート１０ｃを作製する工程である（図５（ｂ）参照。）
【００７４】
配線パターン作製工程Ｓ２４０は、導電シート１０ｃを配線パターン１０に対応する形状に成形して配線パターン１０を作製する工程である（図５（ｃ）参照。）。
本明細書において「成形」は特定の方法に限られず、対象の形状を作ることができればよい。成形の具体例としては、型を用いて打ち抜くことや、刃物で切り抜くことを挙げることができる。
【００７５】
以上の工程によっても、実施形態１に係る電気回路１を製造することができる。
【００７６】
以下、実施形態１に係る電気回路、導電ペースト及び電気回路の製造方法の効果について説明する。
【００７７】
実施形態１に係る電気回路１によれば、電気回路１を構成する配線パターン１０の材料に可食性及び水溶性のうち少なくともいずれかの性質を有する第１材料を用いていることから、生体に優しく、環境負荷の低い電気回路を提供することができる。
【００７８】
また、実施形態１に係る電気回路１によれば、第１材料が、炭水化物及び／又はたんぱく質からなることから、生体に優しく、環境負荷の低い電気回路を構成することが可能となる。
【００７９】
また、実施形態１に係る電気回路１によれば、電気回路１が抵抗成分を含む回路であるため、抵抗となる部材を別途用意しなくても抵抗を測定可能な回路を構成することが可能となる。
【００８０】
実施形態１に係る導電ペーストによれば、第１材料に導電材料が添加されているため、生体に優しく、環境負荷の低い電気回路を製造する際の原料となる導電ペーストを提供することができる。
【００８１】
また、実施形態１に係る導電ペーストによれば、第１材料が、炭水化物及び／又はたんぱく質からなることから、生体に優しく、環境負荷の低い電気回路を構成することが可能な導電性ペーストとすることが可能となる。
【００８２】
実施形態１に係る電気回路の製造方法によれば、電気回路の形成に、第１材料に前記導電材料が添加されている導電ペーストを用いるため、生体に優しく、環境負荷の低い電気回路を製造するための電気回路の製造方法を提供することができる。
【００８３】
［実施形態２］
図６は、実施形態２に係る電気回路２を示す上面図である。
【００８４】
実施形態２に係る電気回路２は、可食性及び水溶性のうち少なくともいずれかの性質を有する第１材料に導電材料が添加されている配線パターン１０と、配線パターン１０を搭載する基板であって、可食性及び水溶性のうち少なくともいずれかの性質を有する第２材料からなる基板２０とを備える（図６参照。）。
実施形態２における配線パターン１０は、実施形態１における配線パターン１０と、形状、性質、機能及び用途が同様であるであるため、再度の説明は省略する。
実施形態２においては、第１材料及び第２材料がいずれも、炭水化物及び／又はたんぱく質からなる。ただし、第１材料と第２材料とは、同じ材料からなるものであってもよいし、異なる材料からなるものであってもよい。
【００８５】
以下、実施形態２に係る電気回路の製造方法について説明する。
まず、実施形態２に係る電気回路の製造方法のうち第１の製造方法について説明する。
図７は、実施形態２に係る電気回路の製造方法のうち第１の製造方法のフローチャートである。
図８は、実施形態２に係る電気回路の製造方法のうち第１の製造方法を説明するために示す図である。図８（ａ）〜図８（ｃ）は各工程図である。
【００８６】
実施形態２に係る電気回路の製造方法のうち第１の製造方法は、実施形態２に記載の電気回路２を製造するための電気回路の製造方法であって、導電ペースト・基板準備工程Ｓ３１０と、導電ペーストパターン作製工程Ｓ３２０と、配線パターン作製工程Ｓ３３０とを含む（図７参照。）。
【００８７】
導電ペースト・基板準備工程Ｓ３１０は、第１材料に導電材料が添加されている導電ペーストと、第２材料からなる基板２０とを準備する工程である（基板２０について、図８（ａ）参照。）。
【００８８】
導電ペーストパターン作製工程Ｓ３２０は、導電ペーストを用いて基板２０上に配線パターン１０に対応する導電ペーストパターン１０ａを作製する工程である（図８（ｂ）参照。）。
【００８９】
配線パターン作製工程Ｓ３３０は、導電ペーストパターンを加熱又は乾燥して配線パターン１０を作製する工程である（図８（ｃ）参照。）。
【００９０】
以上の工程により、実施形態２に係る電気回路２を製造することができる。
【００９１】
次に、実施形態２に係る電気回路の製造方法のうち第２の製造方法について説明する。
図９は、実施形態２に係る電気回路の製造方法のうち第２の製造方法のフローチャートである。
図１０は、実施形態２に係る電気回路の製造方法のうち第２の製造方法を説明するために示す図である。図１０（ａ）〜図１０（ｄ）は各工程図である。
【００９２】
実施形態２に係る電気回路の製造方法のうち第２の製造方法は、実施形態２に係る電気回路２を製造するための電気回路の製造方法であって、導電ペースト・基板準備工程Ｓ４１０と、導電ペーストシート作製工程Ｓ４２０と、導電シート作製工程Ｓ４３０と、配線パターン作製工程Ｓ４４０と、配線パターン貼り付け工程Ｓ４５０とを含む（図９参照。）。
【００９３】
導電ペースト・基板準備工程Ｓ４１０は、第１材料に前記導電材料が添加されている導電ペーストと、第２材料からなる基板２０とを準備する工程である（基板２０について、図１０（ａ）参照。）。
【００９４】
導電ペーストシート作製工程Ｓ４２０は、導電ペーストを用いて導電ペーストシート１０ｂを作製する工程である（図１０（ｂ）参照。）。
【００９５】
導電シート作製工程Ｓ４３０は、導電ペーストシート１０ｂを加熱又は乾燥して配線パターン１０を形成するための導電シート１０ｃを作製する工程である（図１０（ｃ）参照。）。
【００９６】
配線パターン作製工程Ｓ４４０は、導電シート１０ｃを配線パターン１０に対応する形状に成形して配線パターン１０を作製する工程である（図１０（ｄ）参照。）。
【００９７】
配線パターン貼り付け工程Ｓ４５０は、基板２０に配線パターン１０を貼り付ける工程である（図１０（ｄ）参照。）。
本明細書において「貼り付ける」には、接着剤のような介在物を介して貼り付ける場合と、介在物を用いずに貼り付ける場合との両方を含む。介在物を用いる場合には、当該介在物も可食性及び水溶性のうち少なくともいずれかの性質を有する材料からなるものであることが好ましい。
【００９８】
介在物としては、例えば、可食性及び水溶性のうち少なくともいずれかの性質を有する材料を溶媒で溶かしたものを用いることができる。
また、介在物を用いない場合には、加熱又は乾燥前における第１材料等の性質（粘性等）を用いて貼り付けを行うことができる。
【００９９】
以上の工程によっても、実施形態２に係る電気回路２を製造することができる。
【０１００】
以下、実施形態２に係る電気回路２及び電気回路の製造方法の効果について説明する。
【０１０１】
実施形態２に係る電気回路２によれば、電気回路２を構成する配線パターン１０の材料及び基板２０の材料の両方に可食性及び水溶性のうち少なくともいずれかの性質を有する材料を用いていることから、生体に優しく、環境負荷の低い電気回路を提供することができる。
【０１０２】
また、実施形態２に係る電気回路２によれば、第１材料及び第２材料がいずれも、炭水化物及び／又はたんぱく質からなることから、生体に優しく、環境負荷の低い電気回路を構成することが可能となる。
【０１０３】
また、実施形態２に係る電気回路２によれば、電気回路２が実施形態１に係る電気回路１と同様に抵抗成分を含む回路であるため、抵抗となる部材を別途用意しなくても抵抗を測定可能な回路を構成することが可能となる。
【０１０４】
実施形態２に係る電気回路の製造方法によれば、電気回路２の形成に、可食性及び水溶性のうち少なくともいずれかの性質を有する第１材料に導電材料が添加されている導電ペーストと、可食性及び水溶性のうち少なくともいずれかの性質を有する第２材料からなる基板２０とを用いるため、生体に優しく、環境負荷の低い電気回路を製造するための電気回路の製造方法を提供することができる。
【０１０５】
［実施形態３］
図１１は、実施形態３に係る電気回路３を説明するために示す図である。図１１（ａ）は電気回路３の上面図であり、図１１（ｂ）は電気回路３及び外部の測定リーダー等の測定部３００の回路ブロック図であり、図１１（ｃ）はインピーダンスと周波数との関係を模式的に表すグラフである。図１１（ｃ）のグラフの縦軸はインピーダンスを表し、横軸は周波数を表す。
【０１０６】
実施形態３に係る電気回路３は、基本的には実施形態２に係る電気回路２と同様の構成を有するが、配線パターンの形状が実施形態２に係る電気回路２の場合とは異なる。
電気回路３は、いわゆるＬＣ共振回路である。実施形態３における配線パターン３０は、インダクタ部３２とキャパシタ部３４とを有する（図１１（ａ）参照。）。
インダクタ部３２はミアンダ型であり、キャパシタ部３４は櫛歯型である。
【０１０７】
電気回路３は、外部の測定リーダー等を用いることで、共振を利用して電気回路の状態（配線パターン３０の伸び縮み、膨潤、崩壊等による共振周波数の変化）を検出する用途に用いられる（図１１（ｂ）参照。）。このようにすることにより、電気回路３の状態を非接触で判断することができる。
【０１０８】
ここで、電気回路３の状態の検出についてさらに説明する。
実施形態３における配線パターン３０は、上記したように、インダクタ部３２とキャパシタ部３４とを有する。電気回路３は、インダクタとキャパシタとの直列回路となっている。
【０１０９】
一方、外部の測定リーダー等の測定部３００（リーダーコイル）も測定用インダクタ部３１０を有しており、以下で説明する手法により、電気回路３側の静電容量値等の変化を間接的に検出可能である。なお、図１１（ｂ）では、説明の簡略化のために内部抵抗の図示を省略している。
【０１１０】
ＬＣ共振回路においては、以下の式に表されるように、キャパシタの静電容量値ＣとインダクタのインダクタンスＬとに対応する共振周波数ｆ０を求めることができる。
【０１１１】
【数１】
2020072237.tif 000003
【０１１２】
図１１（ｃ）に示すように、共振周波数ｆ０のときインピーダンスは最小となる。ここで、インダクタ部３２及びキャパシタ部３４の一方又は両方が膨潤等により形状が変化すると、キャパシタの静電容量値ＣとインダクタのインダクタンスＬの値が変化し、その結果、共振周波数ｆ０も変化する（インピーダンスが最小となる周波数が変化する）。また、配線パターン３０が破断すると、共振周波数ｆ０が定義できなくなる（消失する）。このため、共振周波数ｆ０の変化の計測により電気回路３の状態を検出することが可能となる。
具体的な使用例は、後述する実施形態５〜８で説明する。
【０１１３】
実施形態３に係る電気回路３は、配線パターンの形状が実施形態２に係る電気回路２の場合とは異なるが、基本的な構成は実施形態２に係る電気回路２と同様である。このため、実施形態３に係る電気回路３は、導電ペーストパターンや導電シートの成形の形状を実施形態３に係る電気回路３における配線パターン３０に対応するものとすることで、実施形態２に係る電気回路の製造方法と同様の製造方法により製造することができる。よって、実施形態３においては実施形態３に係る電気回路の製造方法についての説明は省略する。
【０１１４】
以下、実施形態３に係る電気回路３の効果について説明する。
【０１１５】
実施形態３に係る電気回路３は、配線パターンの形状が実施形態２に係る電気回路２とは異なるが、電気回路３を構成する配線パターン３０の材料及び基板２０の材料の両方に可食性及び水溶性のうち少なくともいずれかの性質を有する材料を用いていることから、実施形態２に係る電気回路２と同様に、生体に優しく、環境負荷の低い電気回路を提供することができる。
【０１１６】
また、実施形態３に係る電気回路３によれば、電気回路３がＬＣ共振回路であるため、共振を利用して電気回路の状態を遠隔から（非接触で）検出することが可能となる。
【０１１７】
実施形態３に係る電気回路３は、配線パターンの形状が実施形態２に係る電気回路２とは異なるが、基本的には実施形態２に係る電気回路２と同様の構成を有するため、実施形態２に係る電気回路２が有する効果のうち該当する効果を有する。
【０１１８】
［実施形態４］
図１２は、実施形態４に係る電気回路４を説明するために示す図である。図１２（ａ）は電気回路４の上面図であり、図１２（ｂ）は絶縁層５０及び第２配線パターン６０を表示しない上面図（配線パターン４０及び基板２０のみ表示する図）であり、図１２（ｃ）は図１２（ａ）のＡ１−Ａ１断面図である。
【０１１９】
実施形態４に係る電気回路４は、ＬＣ共振回路であることは実施形態３に係る電気回路３と共通するが、回路が立体的に構成されており、これに起因して配線パターン等各部の構成が異なっている。以下、実施形態４に係る電気回路４について説明する。
なお、実施形態４に係る電気回路４はＬＣ共振回路であるため、実施形態３に係る電気回路３と同様の検出方法を用いることができ、その点に関する作用及び効果は実施形態３に係る電気回路３と同様である。
【０１２０】
実施形態４に係る電気回路４は、可食性及び水溶性のうち少なくともいずれかの性質を有する第１材料に導電材料が添加されている配線パターン４０と、配線パターン４０を搭載する基板であって、可食性及び水溶性のうち少なくともいずれかの性質を有する第２材料からなる基板２０とを備える（図１２（ｂ），図１２（ｃ）参照。）。
第１材料及び第２材料はいずれも、炭水化物及び／又はたんぱく質からなる。ただし、第１材料と第２材料とは、同じ材料からなるものであってもよいし、異なる材料からなるものであってもよい。実施形態４における配線パターン４０は、インダクタ配線部４２及び第１キャパシタ部４４を有する。
【０１２１】
実施形態４に係る電気回路４は、配線パターン４０を覆うように基板２０上に形成された可食性及び水溶性のうち少なくともいずれかの性質を有する第３材料からなる絶縁層５０と、可食性及び水溶性のうち少なくともいずれかの性質を有する第４材料に第２の導電材料が添加されている第２配線パターンであって、絶縁層５０上に形成されている第２配線パターン６０とをさらに備える（図１２（ａ），図１２（ｃ）参照。）。
第３材料及び第４材料はいずれも、炭水化物及び／又はたんぱく質からなる。ただし、第３材料と第４材料とは、同じ材料からなるものであってもよいし、異なる材料からなるものであってもよい。
第２配線パターン６０は、インダクタ部６２及び第２キャパシタ部６４を有する。インダクタ部６２はインダクタ配線部４２と絶縁層５０に形成された孔５３を介して接続されている。第２キャパシタ部６４は、第１キャパシタ部４４とともにキャパシタを形成する。
インダクタ部６２はループ型であり、電気回路４におけるキャパシタは平行電極型である。
【０１２２】
次に、実施形態４に係る電気回路の製造方法のうち第１の製造方法について説明する。
図１３は、実施形態４に係る電気回路の製造方法のうち第１の製造方法のフローチャートである。
図１４及び図１５は、実施形態４に係る電気回路の製造方法のうち第１の製造方法を説明するために示す図である。図１４（ａ）〜図１４（ｄ）及び図１５（ａ）〜図１５（ｃ）は各工程図である。
【０１２３】
実施形態４に係る電気回路の製造方法のうち第１の製造方法は、実施形態４に係る電気回路４を製造するための電気回路の製造方法であって、導電ペースト・基板・絶縁ペースト準備工程Ｓ５１０と、導電ペーストパターン作製工程Ｓ５２０と、配線パターン作製工程Ｓ５３０と、絶縁ペースト層作製工程Ｓ５４０と、絶縁層作製工程Ｓ５５０と、第２導電ペーストパターン作製工程Ｓ５６０と、第２配線パターン作製工程Ｓ５７０とを含む（図１３参照。）。
【０１２４】
導電ペースト・基板・絶縁ペースト準備工程Ｓ５１０は、第１材料に導電材料が添加されている導電ペーストと、第２材料からなる基板２０と、第３材料からなる絶縁ペーストと、第４材料に第２の導電材料が添加されている第２導電ペーストとを準備する工程である（基板２０について、図１４（ａ）参照。）。
【０１２５】
絶縁ペーストは、第３材料のペーストであり、絶縁層を構成する材料の前駆物質である。絶縁ペーストは、第３材料そのものであってもよいし、第３材料に溶媒（例えば、水やアルコール）を加えたものであってもよい。
【０１２６】
導電ペーストパターン作製工程Ｓ５２０は、導電ペーストを用いて基板２０上に配線パターン４０に対応する導電ペーストパターン４０ａを作製する工程である（図１４（ｂ）参照。）。
【０１２７】
配線パターン作製工程Ｓ５３０は、導電ペーストパターン４０ａを加熱又は乾燥して配線パターン４０を作製する工程である（図１４（ｃ）参照。）。
【０１２８】
絶縁ペースト層作製工程Ｓ５４０は、絶縁ペーストを用いて配線パターン４０を覆うように基板２０上に絶縁ペースト層５０ａを作製する工程である（図１４（ｄ）参照。）。なお、絶縁ペースト層５０ａは配線パターン４０の全てを覆ってもよいし、配線パターン４０の一部を覆ってもよい。また、配線パターン４０と第２配線パターン６０とを接続する孔５３は、当該工程で形成する（孔に相当する部分について、絶縁ペースト層５０ａを作成しない）ことが好ましい。
絶縁ペースト層５０ａの作製についても、例えば、スクリーン印刷方式、インクジェット方式、塗布方式（刷毛塗りや吹き付け等）により行うことができる。
【０１２９】
絶縁層作製工程Ｓ５５０は、絶縁ペースト層５０ａを加熱又は乾燥して絶縁層５０を作製する工程である（図１５（ａ）参照。）。
【０１３０】
第２導電ペーストパターン作製工程Ｓ５６０は、第２導電ペーストを用いて絶縁層５０上に第２配線パターン６０に対応する第２導電ペーストパターン６０ａを作製する工程である（図１５（ｂ）参照。）。
第２導電ペーストパターン６０ａの作製についても、例えば、スクリーン印刷方式、インクジェット方式、塗布方式（刷毛塗りや吹き付け等）により行うことができる。
【０１３１】
第２配線パターン作製工程Ｓ５７０は、第２導電ペーストパターン６０ａを加熱又は乾燥して第２配線パターン６０を作製する工程である（図１５（ｃ）参照。）。
【０１３２】
以上の工程により、実施形態４に係る電気回路４を製造することができる。
【０１３３】
次に、実施形態４に係る電気回路の製造方法のうち第２の製造方法について説明する。
図１６は、実施形態４に係る電気回路の製造方法のうち第１の製造方法のフローチャートである。
図１７及び図１８は、実施形態４に係る電気回路の製造方法のうち第１の製造方法を説明するために示す図である。図１７（ａ）〜図１７（ｄ）及び図１８（ａ）〜図１８（ｃ）は各工程図である。
【０１３４】
実施形態４に係る電気回路の製造方法のうち第２の製造方法は、実施形態４に係る電気回路４を製造するための電気回路の製造方法であって、導電ペースト・基板・絶縁シート準備工程Ｓ６１０と、導電ペーストシート作製工程Ｓ６２０と、導電シート作製工程Ｓ６３０と、配線パターン作製工程Ｓ６４０と、第２導電ペーストシート作製工程Ｓ６５０と、第２導電シート作製工程Ｓ６６０と、第２配線パターン作製工程Ｓ６７０と、貼り合わせ工程Ｓ６８０とを含む（図１６参照。）。
【０１３５】
導電ペースト・基板・絶縁シート準備工程Ｓ６１０は、第１材料に導電材料が添加されている導電ペーストと、第２材料からなる基板２０と、第３材料からなる絶縁層５０としての絶縁シートと、第４材料に第２の導電材料が添加されている第２導電ペーストとを準備する工程である（図示せず。）。
絶縁シートには、この時点で、絶縁層５０としたときに必要な構成、具体的には配線パターン４０と第２配線パターン６０とを接続する孔５３が形成されていることが好ましい。
【０１３６】
導電ペーストシート作製工程Ｓ６２０は、導電ペーストを用いて導電ペーストシート４０ｂを作製する工程である（図１７（ａ）参照。）。
【０１３７】
導電シート作製工程Ｓ６３０は、導電ペーストシート４０ｂを加熱又は乾燥して配線パターン４０を形成するための導電シート４０ｃを作製する工程である（図１７（ｂ）参照。）。
【０１３８】
配線パターン作製工程Ｓ６４０は、導電シート４０ｃを配線パターン４０に対応する形状に成形して配線パターン４０を作製する工程である（図１７（ｃ）参照。）。
【０１３９】
第２導電ペーストシート作製工程Ｓ６５０は、第２導電ペーストを用いて第２導電ペーストシート６０ｂを作製する工程である（図１７（ｄ）参照。）。
【０１４０】
第２導電シート作製工程Ｓ６６０は、第２導電ペーストシート６０ｂを加熱又は乾燥して第２配線パターン６０（後述。）を形成するための第２導電シート６０ｃを作製する工程である（図１８（ａ）参照。）。
【０１４１】
第２配線パターン作製工程Ｓ６７０は、第２導電シート６０ｃを第２配線パターン６０に対応する形状に成形して第２配線パターン６０を作製する工程である（図１８（ｂ）参照。）。
【０１４２】
貼り合わせ工程Ｓ６８０は、基板２０と、配線パターン４０と、絶縁シート（絶縁層５０）と、第２配線パターン６０とを貼り合わせる工程である（図１８（ｃ）参照。）。
【０１４３】
以上の工程によっても、実施形態４に係る電気回路４を製造することができる。
なお、第１の電気回路の製造方法と第２の電気回路の製造方法とを組み合わせて（例えば、基板２０及び配線パターン４０については第１の電気回路の製造方法により作製し、絶縁層５０及び第２配線パターン６０については第２の電気回路の製造方法により準備・作製する等して）電気回路４を製造してもよい。
【０１４４】
以下、実施形態４に係る電気回路４及び電気回路の製造方法の効果について説明する。
【０１４５】
実施形態４に係る電気回路４によれば、電気回路を構成する配線パターン４０の材料及び基板２０の材料の両方に可食性及び水溶性のうち少なくともいずれかの性質を有する材料を用いていることから、生体に優しく、環境負荷の低い電気回路を提供することができる。
【０１４６】
また、実施形態４に係る電気回路４によれば、第１材料及び第２材料がいずれも、炭水化物及び／又はたんぱく質からなることから、生体に優しく、環境負荷の低い電気回路を構成することが可能となる。
【０１４７】
また、実施形態４に係る電気回路４によれば、配線パターン４０を覆うように基板２０上に形成された絶縁層５０と、当該絶縁層５０上に形成されている第２配線パターン６０とをさらに備えることから、電気回路４を立体的に構成することが可能となる。
【０１４８】
また、実施形態４に係る電気回路４によれば、上記のような構成とすることにより、絶縁層５０の材料及び第２配線パターン６０の材料の両方に可食性及び水溶性のうち少なくともいずれかの性質を有する材料を用いていることから、生体に優しく、環境負荷の低い電気回路を提供することができる。
【０１４９】
また、実施形態４に係る電気回路４によれば、第３材料及び第４材料がいずれも、炭水化物及び／又はたんぱく質からなることから、生体に優しく、環境負荷の低い電気回路を構成することが可能となる。
【０１５０】
また、実施形態４に係る電気回路４によれば、共振を利用して電気回路の状態を遠隔から（非接触で）検出することが可能となる。
【０１５１】
実施形態４に係る電気回路の製造方法によれば、第１材料に前記導電材料が添加されている導電ペーストと、第２材料からなる基板２０と、第３材料からなる絶縁ペースト又は絶縁シートと、第４材料に第２の導電材料が添加されている第２導電ペーストとを用いるため、生体に優しく、環境負荷の低い電気回路を製造するための電気回路の製造方法を提供することができる。
【０１５２】
［実施形態５］
実施形態５に係る電気回路は、水分検出センサである。
実施形態５に係る電気回路としては、例えば、実施形態１〜４に記載の電気回路１〜４と同様の電気回路を用いることができるが、各材料は水溶性のものを用いる。
なお、実施形態５に係る電気回路の構成及び製造方法は、実施形態１〜４に記載したものと同様であるため、図示及び説明を省略する。
【０１５３】
実施形態５に係る電気回路は、水分を検出したい場所であれば任意の場所に設置することが可能である。
【０１５４】
実施形態１，２に係る電気回路１，２のような電気回路による水分の検出（導電性又は抵抗値の変化による水分の検出）は、以下のようにして行うことができる。
実施形態５に係る電気回路に水分（液体でも湿気でもよい）が接触すると、導電パターンが膨潤することにより導電材料同士の接触が阻害され、導電性の低下や抵抗値の上昇が計測される。さらに水分の影響が強くなると、導電パターンが崩壊して断線し、導電性が０となり抵抗値が無限大となる。
このような原理により、実施形態５に係る電気回路を用いて水分を検出することができる。
【０１５５】
また、実施形態３，４に係る電気回路３，４のような電気回路による水分の検出（共振周波数の変化による水分の検出）は、以下のようにして行うことができる。
実施形態５に係る電気回路に水分が接触すると、配線パターン及び基板のうち少なくとも一方が水分の影響により膨潤等し、配線パターンの変形等により外部の測定リーダーで測定可能な共振周波数も変化する。逆にいえば、当該変化が水分の存在を示すことになる。
このような原理によっても、実施形態５に係る電気回路を用いて水分を検出することができる。
【０１５６】
実施形態５に係る電気回路によれば、水分による電気回路の変質や崩壊を利用した簡易かつ利便性の高い水分検出センサを構成することが可能となる。
【０１５７】
［実施形態６］
実施形態６に係る電気回路は、尿検出センサである。当該電気回路は、おむつや下着に貼り付けて用いる。
実施形態６に係る電気回路としては、例えば、実施形態１〜４に記載の電気回路１〜４と同様の電気回路を用いることができるが、各材料は水溶性のものを用いる。特に、尿の検出を遠隔から（非接触で）行うという観点からは、実施形態３，４に記載の電気回路３，４と同様の電気回路を用いることが好ましい。
なお、実施形態６に係る電気回路の構成及び製造方法は、実施形態１〜４に記載したものと同様であるため、図示及び説明を省略する。
尿検出センサは実質的に請求項５における水分検出センサと同様の仕組みにより尿を検出するものであるため、原理に関する説明は省略する。
【０１５８】
実施形態６に係る電気回路によれば、尿による電気回路の変質や崩壊を利用した簡易かつ利便性の高い尿検出センサを構成することが可能となる。
【０１５９】
［実施形態７］
実施形態７に係る電気回路は、害獣検知センサである。当該電気回路は、害獣（例えば、シカやイノシシ）の餌となるもの（例えば、樹皮や作物）に貼り付けて、又は、埋め込んで用いる。
【０１６０】
実施形態７に係る電気回路としては、例えば、実施形態１〜４に記載の電気回路１〜４と同様の電気回路を用いることができる。特に、害獣の検知を遠隔から（非接触で）行うという観点からは、実施形態３，４に記載の電気回路３，４と同様の電気回路を用いることが好ましい。
なお、実施形態７に係る電気回路の構成及び製造方法は、実施形態１〜４に記載したものと同様であるため、図示及び説明を省略する。
【０１６１】
実施形態３，４に係る電気回路３，４のような電気回路による害獣の検知は、例えば、以下のようにして行うことができる。
まず、検知対象となる害獣の餌の付近に外部リーダーの検出部を配置する。そして、電気回路を害獣の餌に設置する。その後、害獣が電気回路ごと餌を食べることで共振周波数が変わり、害獣が餌を食べたことを確認できる。
【０１６２】
実施形態７に係る電気回路によれば、害獣に食物ごとセンサを食べさせることによる電気回路の崩壊を利用した、簡易かつ利便性の高い害獣検知センサを構成することが可能となる。
【０１６３】
［実施形態８］
図１９は、実施形態８に係る電気回路８を説明するために示す図である。図１９（ａ）は電気回路８の上面図であり、図１９（ｂ）は図１９のＡ２−Ａ２断面図である。
【０１６４】
実施形態８に係る電気回路８は、錠剤飲み忘れセンサである。錠剤飲み忘れセンサは、錠剤を飲んだことを確認できるセンサであるともいえる。
実施形態８においては、錠剤７０を基板として扱い、その上に配線パターン８０が作製されている。電気回路８の配線パターン８０は、全体的な大きさ以外については、実施形態３に係る電気回路３における配線パターン３０と同じである。つまり、実施形態８に係る電気回路８は、実施形態３に係る電気回路３を錠剤に適用したものであるともいえる。
【０１６５】
実施形態８に係る電気回路８により、錠剤を飲んだかどうかの検出は、例えば、以下のようにして行うことができる。
まず、生体外における、胃の付近に外部リーダーの検出部を配置する。この状態で錠剤７０を含む電気回路８が胃に入ることにより、共振周波数を測定できるようになる。その後、水分や胃酸等で電気回路８が崩壊（溶解）することにより共振周波数が変化し、最終的には検出できなくなることで錠剤を飲み忘れていないこと（錠剤を飲んだこと）が確認できる。
【０１６６】
以下、実施形態８に係る電気回路８の製造方法について説明する。
図２０は、実施形態８に係る電気回路の製造方法のフローチャートである。
図２１は、実施形態８に係る電気回路の製造方法を説明するために示す図である。図２１（ａ）〜図２１（ｃ）は各工程図である。
【０１６７】
実施形態８に係る電気回路の製造方法は、実施形態８に係る電気回路８を製造するための電気回路の製造方法であって、導電ペースト・錠剤準備工程Ｓ７１０と、導電ペーストパターン作製工程Ｓ７２０と、配線パターン作製工程７３０とを含む（図２０参照。）。
【０１６８】
導電ペースト・錠剤準備工程Ｓ７１０は、可食性及び水溶性のうち少なくともいずれかの性質を有する第１材料に導電材料が添加されている導電ペーストと、薬剤を含有する錠剤７０とを準備する工程である（錠剤７０については、図２１（ａ）参照。）。
【０１６９】
導電ペーストパターン作製工程Ｓ７２０は、導電ペーストを用いて錠剤７０の表面に配線パターン８０に対応する導電ペーストパターン８０ａを作製する工程である（図２１（ｂ）参照。）。
【０１７０】
配線パターン作製工程Ｓ７３０は、導電ペーストパターン８０ａを加熱又は乾燥して配線パターン８０を作製する工程である（図２１（ｃ）参照。）。
【０１７１】
実施形態８に係る電気回路８によれば、錠剤の服用による電気回路８の変質や崩壊を利用した簡易かつ利便性の高い錠剤飲み忘れ検出センサを構成することが可能となる。
【０１７２】
以上、本発明を上記の実施形態に基づいて説明したが、本発明は上記の実施形態に限定されるものではない。その趣旨を逸脱しない範囲において実施することが可能であり、例えば、次のような変形も可能である。
【０１７３】
（１）上記実施形態に記載した構成要素の数、材質、形状、位置、大きさなどは例示であり、本発明の効果を損なわない範囲において変更することが可能である。
【０１７４】
（２）実施形態８に係る電気回路８は、実施形態３に係る電気回路３を錠剤に適用したものであったが、本発明はこれに限定されるものではない。図２２は、変形例に係る電気回路９を説明するために示す図である。図２２（ａ）は電気回路９の上面図であり、図２２（ｂ）は図２２（ａ）のＡ３−Ａ３断面図である。変形例に係る電気回路９は、図２２に示すように、錠剤７０、インダクタ配線部９２及び第１キャパシタ部９４を有する配線パターン９０、絶縁層１００及びインダクタ部１１２及び第２キャパシタ部１１４を有する第２配線パターン１１０を備える。本発明の電気回路は、図２２に示すように、実施形態４に係る電気回路４を錠剤に適用したものであってもよい。また、さらに他の電気回路を錠剤に適用したものであってもよい。
【０１７５】
（３）実施形態８に係る電気回路８においては、錠剤７０を基板としてその上に各種構造を作製することで電気回路８を製造したが、本発明はこれに限定されるものではない。あらかじめ製造しておいた電気回路を錠剤に貼り付けても、当該電気回路を飲み忘れ防止センサーとして用いることができる。
【０１７６】
（４）上記各実施形態においては、各部材を構成する材料として炭水化物及び／又はたんぱく質を用いたが、本発明はこれに限定されるものではない。各部材を構成する材料として脂質を用いることもできる。
【０１７７】
（５）上記実施形態４においては、配線パターン４０と第２配線パターン６０とで２層の配線パターンを形成していたが、本発明はこれに限定されるものではない。配線パターンと絶縁層とをさらに積層し、３層以上の配線パターンを形成することもできる。
【０１７８】
（６）上記実施形態２〜４においては基板を準備するが、準備する段階の基板は、ペースト状のものであってもよい。
【０１７９】
（７）本発明の電気回路は、可食性及び水溶性のうち少なくともいずれかの性質を有する材料からなり少なくとも配線パターンを覆うコーティング材をさらに備えていてもよい（つまり、コーティングされていてもよい）。このようにすることで、センサとして用いたときに意図しないタイミングで配線パターンが変質又は崩壊してしまう事態が発生するのを抑制することが可能となる。害獣検知センサや錠剤飲み忘れ検出センサは、検出したい現象の前に水分にさらされやすいため、このような電気回路を特に好適に用いることができる。なお、水分にある程度耐性があり、生体の中で溶解し、かつ、加工性のよい材料の具体例としては、カラメルを挙げることができる。コーティング材の作製は、例えば、スクリーン印刷方式、インクジェット方式、塗布方式（刷毛塗りや吹き付け等）により行うことができる。
【０１８０】
（８）本発明の電気回路は、可食性とすることにより、微生物の検出に用いることもできる。電気回路を微生物が存在し得る環境に静置することで、導電パターンの分解の有無により微生物の存在を検出することが可能となる。また、導電パターンの分解速度を計測することで、存在する微生物の量や種類について推測することも可能であると考えられる。
【符号の説明】
【０１８１】
１，２，３，４，８，９…電気回路、１０，３０，４０，８０，９０…配線パターン、１０ａ，４０ａ，８０ａ…導電ペーストパターン、１０ｂ，４０ｂ…導電ペーストシート、１０ｃ，４０ｃ…導電シート、１２，１４…端子、２０…基板、３２，６２，１１２…インダクタ部、３４…キャパシタ部、４２，９２…インダクタ配線部、４４，９４…第１キャパシタ部、５０，１００…絶縁層、５０ａ…絶縁ペースト層、５３…孔、６０，１１０…第２配線パターン、６０ａ…第２導電ペーストパターン、６０ｂ…第２導電ペーストシート、６０ｃ…第２導電シート、６４，１１４…第２キャパシタ部、７０…錠剤
【図１】
2020072237.tif 000004
【図２】
2020072237.tif 000005
【図３】
2020072237.tif 000006
【図４】
2020072237.tif 000007
【図５】
2020072237.tif 000008
【図６】
2020072237.tif 000009
【図７】
2020072237.tif 000010
【図８】
2020072237.tif 000011
【図９】
2020072237.tif 000012
【図１０】
2020072237.tif 000013
【図１１】
2020072237.tif 000014
【図１２】
2020072237.tif 000015
【図１３】
2020072237.tif 000016
【図１４】
2020072237.tif 000017
【図１５】
2020072237.tif 000018
【図１６】
2020072237.tif 000019
【図１７】
2020072237.tif 000020
【図１８】
2020072237.tif 000021
【図１９】
2020072237.tif 000022
【図２０】
2020072237.tif 000023
【図２１】
2020072237.tif 000024
【図２２】
2020072237.tif 000025